(57)【要約】【課題】  燃料での核融合反応を効率良く点火することが可能な核融合ターゲット、及び核融合点火方法を提供する。【解決手段】  中心部Ｃからみて第１領域を囲むように設けられた主燃料層１１、及びその外周上に設けられたアブレータ層１２を有する主燃料部１０と、中心部Ｃからみて第１領域を除く第２領域に対して設けられた点火用燃料層２１、及びその外周上に設けられたアブレータ層２２を有する点火用燃料部２０とによって核融合ターゲット１を構成する。また、開口部３１を有し燃料部１０、２０を隔てるコーン部材３０を設け、レーザ光の照射時に点火用燃料層２１が開口部３１を経て中心部Ｃへと誘導されるように構成する。【選択図】  図１
2005241462.tif 000002
【特許請求の範囲】
【請求項１】
核融合燃料に対してエネルギー線を照射することによって核融合反応を点火させる慣性核融合に用いられる核融合ターゲットであって、
点火部となる中心部からみて第１領域を囲むように設けられた主燃料層、及び前記主燃料層の外周上に設けられた第１アブレータ層を有する主燃料部と、
前記中心部からみて前記第１領域を除く第２領域に対して設けられた点火用燃料層、及び前記点火用燃料層の外周上に設けられた第２アブレータ層を有する点火用燃料部と、
前記主燃料部及び前記点火用燃料部を隔てるとともに前記中心部に向かって開放された開口部を有し、前記点火用燃料層をエネルギー線の照射時に前記開口部を経て前記中心部へと誘導するための誘導部材と
を備えることを特徴とする核融合ターゲット。
【請求項２】
前記主燃料層は、前記中心部からみて第１の径の球面形状に設けられ、前記点火用燃料層は、前記中心部からみて第２の径の球面形状に設けられていることを特徴とする請求項１記載の核融合ターゲット。
【請求項３】
前記誘導部材は、前記開口部から前記点火用燃料部への開き角度を９０°以上１８０°以下として形成されていることを特徴とする請求項１または２記載の核融合ターゲット。
【請求項４】
前記点火用燃料層は、前記主燃料層よりも薄く形成されていることを特徴とする請求項１〜３のいずれか一項記載の核融合ターゲット。
【請求項５】
前記点火用燃料層は、前記主燃料層よりも大きい前記中心部からの距離で配置されていることを特徴とする請求項１〜４のいずれか一項記載の核融合ターゲット。
【請求項６】
核融合燃料に対してエネルギー線を照射することによって核融合反応を点火させる慣性核融合における核融合点火方法であって、
点火部となる中心部からみて第１領域を囲むように設けられた主燃料層を有する主燃料部と、前記中心部からみて前記第１領域を除く第２領域に対して設けられた点火用燃料層を有する点火用燃料部と、前記主燃料部及び前記点火用燃料部を隔てるとともに前記中心部に向かって開放された開口部を有する誘導部材とを備える核融合ターゲットを用い、
前記主燃料部に対して圧縮用のエネルギー線を照射し、前記主燃料層を前記中心部へと圧縮させる圧縮ステップと、
前記点火用燃料部に対して加速用のエネルギー線を照射し、前記点火用燃料層を前記誘導部材によって前記開口部を経て前記中心部へと誘導しつつ加速させる加速ステップと、
前記中心部へと圧縮された前記主燃料層に加速された前記点火用燃料層を衝突させることによって核融合反応を点火させる点火ステップと
を備えることを特徴とする核融合点火方法。
【請求項７】
前記加速ステップにおいて、前記点火用燃料層の速度が前記主燃料層の圧縮される速度よりも速くなるように前記点火用燃料層の加速を行うことを特徴とする請求項６記載の核融合点火方法。
【請求項８】
前記加速ステップにおいて、前記加速用のエネルギー線としてレーザ光を用いることを特徴とする請求項６または７記載の核融合点火方法。
【発明の詳細な説明】
【技術分野】
【０００１】
本発明は、核融合燃料に対してエネルギー線を照射することによって核融合反応を点火させる慣性核融合に用いられる核融合ターゲット、及び核融合点火方法に関するものである。
【背景技術】
【０００２】
ＤＴ反応などの核融合反応は、将来のエネルギー源として期待されている。特に、慣性核融合の一方式であるレーザ核融合の分野では、超高出力のペタワット（ＰＷ）レーザ光を用いた高速点火方式が１９９０年代初頭に提案されて以来、各研究機関で精力的に開発が推進されており、その基礎的研究は急速な進展を遂げつつある。
【０００３】
レーザ核融合においては、燃料での核融合反応をどのようにして点火させるか、また、入力に対して１００倍以上のエネルギー利得での出力をいかに取り出すかが重要である。従来の中心点火方式では、点火用のレーザ光でＭＪ（メガジュール）以上のエネルギーが必要とされ、かつ、核融合ターゲットに対するレーザ光照射の高い均一性が求められる。このため、この点火方式では、レーザ光を均一に照射するために数１００本のレーザビームが必要であり、装置が複雑化するとともに高コストとなるという問題がある。
【０００４】
これに対して、ペタワットレーザ光を利用した高速点火方式では、まず、レーザ光を核融合ターゲット（ペレット）に照射することによって、ターゲットの中心部に燃料を圧縮（爆縮）させ、超高密度状態を作り出す。そして、ペタワットレーザ光によって発生させた高速電子を輸送することによって、最終的に圧縮燃料を加熱、点火する（例えば非特許文献１参照）。
【非特許文献１】TANAKA Kazuo et al., "Fast Ignitor Research with Use of Ultra-Intense Laser System", プラズマ・核融合学会誌第７５巻第４号, p.452-458 (1999)
【発明の開示】
【発明が解決しようとする課題】
【０００５】
上記した高速点火方式によるレーザ核融合は、従来の中心点火方式に比べて比較的低い圧縮一様性と圧縮密度での点火が可能であり、かつ、より高いエネルギー利得が見込めるなど、優れた特性を有している。しかしながら、この点火方式には依然として解明されていない物理が多く、最終エネルギー利得を決定するエネルギー結合効率の評価なども充分に行うことができていない。このことは、レーザ核融合の開発を効率的に進めていく上で問題となる。また、ペタワットレーザ光源が非常に高価であり、その動作の安定性などの点でも問題がある。
【０００６】
本発明は、以上の問題点を解決するためになされたものであり、燃料での核融合反応を効率良く点火することが可能な核融合ターゲット、及び核融合点火方法を提供することを目的とする。
【課題を解決するための手段】
【０００７】
このような目的を達成するために、本発明による核融合ターゲットは、核融合燃料に対してエネルギー線を照射することによって核融合反応を点火させる慣性核融合に用いられる核融合ターゲットであって、（１）点火部となる中心部からみて第１領域を囲むように設けられた主燃料層、及び主燃料層の外周上に設けられた第１アブレータ層を有する主燃料部と、（２）中心部からみて第１領域を除く第２領域に対して設けられた点火用燃料層、及び点火用燃料層の外周上に設けられた第２アブレータ層を有する点火用燃料部と、（３）主燃料部及び点火用燃料部を隔てるとともに中心部に向かって開放された開口部を有し、点火用燃料層をエネルギー線の照射時に開口部を経て中心部へと誘導するための誘導部材とを備えることを特徴とする。
【０００８】
また、本発明による核融合点火方法は、核融合燃料に対してエネルギー線を照射することによって核融合反応を点火させる慣性核融合における核融合点火方法であって、（ａ）点火部となる中心部からみて第１領域を囲むように設けられた主燃料層を有する主燃料部と、中心部からみて第１領域を除く第２領域に対して設けられた点火用燃料層を有する点火用燃料部と、主燃料部及び点火用燃料部を隔てるとともに中心部に向かって開放された開口部を有する誘導部材とを備える核融合ターゲットを用い、（ｂ）主燃料部に対して圧縮用のエネルギー線を照射し、主燃料層を中心部へと圧縮させる圧縮ステップと、（ｃ）点火用燃料部に対して加速用のエネルギー線を照射し、点火用燃料層を誘導部材によって開口部を経て中心部へと誘導しつつ加速させる加速ステップと、（ｄ）中心部へと圧縮された主燃料層に加速された点火用燃料層を衝突させることによって核融合反応を点火させる点火ステップとを備えることを特徴とする。
【０００９】
上記した核融合ターゲット及び核融合点火方法においては、核融合燃料からなる主燃料層に対し、同じく核融合燃料からなる点火用燃料層を別に設けている。そして、開口部を設けた誘導部材を用いて、高速に加速された点火用燃料層を主燃料に衝突させ、その運動エネルギーを熱エネルギーに直接変換することによって核融合反応を点火させている。このようなターゲット構造及び点火方法によれば、核融合反応を高効率で確実に点火することが可能となる。
【００１０】
また、この点火方式では、従来の高速点火方式などと異なり、核融合反応の点火の物理現象を流体力学的要素のみで記述することが可能である。したがって、エネルギー結合効率の評価、核融合ターゲットの具体的な構造の設計、高効率が得られるエネルギー線の照射条件の設定などが容易化される。また、ペタワットレーザ光源を用いる必要がなく、装置全体を低コスト化することができる。なお、主燃料層及び点火用燃料層の核融合燃料としては、例えばＤＴ燃料を用いることができる。また、核融合燃料に対して照射するエネルギー線としては、例えばレーザ光、Ｘ線、荷電粒子線などを用いることができる。
【００１１】
ここで、核融合ターゲットは、主燃料層が、中心部からみて第１の径の球面形状に設けられ、点火用燃料層が、中心部からみて第２の径の球面形状に設けられていることが好ましい。これにより、燃料層の中心部への圧縮、加速を充分な一様性で好適に実現することができる。
【００１２】
また、誘導部材は、開口部から点火用燃料部への開き角度を９０°以上１８０°以下として形成されていることが好ましい。これにより、点火用燃料層の中心部への誘導、及びその主燃料との衝突を好適に実現することができる。
【００１３】
また、点火用燃料層は、主燃料層よりも薄く形成されていることが好ましい。さらに、点火用燃料層は、主燃料層よりも大きい中心部からの距離で配置されていることが好ましい。これらの点火用燃料層の構成条件は、エネルギー線の照射時に点火用燃料層を中心部へと高速に加速する上で有効である。
【００１４】
核融合点火方法は、加速ステップにおいて、点火用燃料層の速度が主燃料層の圧縮される速度よりも速くなるように点火用燃料層の加速を行うことが好ましい。このように、点火用燃料層を高速に加速することにより、点火用燃料層の運動エネルギーを熱エネルギーに変換することによる核融合反応の点火を好適に実現することができる。
【００１５】
また、加速ステップにおいて、加速用のエネルギー線としてレーザ光を用いることが好ましい。これにより、点火用燃料層を中心部へと充分な速度で加速することができる。
【発明の効果】
【００１６】
本発明による核融合ターゲット及び核融合点火方法によれば、圧縮された主燃料層に対して高速に加速された点火用燃料層を衝突させることにより、核融合反応を高効率で確実に点火することが可能となる。
【発明を実施するための最良の形態】
【００１７】
以下、図面とともに本発明による核融合ターゲット及び核融合点火方法の好適な実施形態について詳細に説明する。なお、図面の説明においては同一要素には同一符号を付し、重複する説明を省略する。また、図面の寸法比率は、説明のものと必ずしも一致していない。
【００１８】
図１は、本発明による核融合ターゲットの一実施形態の構成を示す断面図である。この核融合ターゲット１は、核融合燃料に対してエネルギー線を照射することによって核融合反応を点火させる慣性核融合に用いられるターゲットである。以下においては、主にエネルギー線としてレーザ光を用いたレーザ核融合を例として説明する。また、ここでは、核融合反応としてＤ（重水素）−Ｔ（三重水素）反応を、また、対応する核融合燃料としてＤＴ燃料を想定しているが、以下のターゲット構造及び点火方法は、他の核融合反応及び燃料に対しても同様に適用可能である。
【００１９】
核融合ターゲット１は、核融合燃料が配置される燃料部として、主燃料部１０と、点火用燃料部２０との２つの燃料部を備え、軸Ａｘを中心軸として対称に構成されている。また、ターゲット１の中心部Ｃは、本ターゲット１にレーザ光を照射して核融合反応を点火させる際に、その点火部となる領域である。
【００２０】
主燃料部１０は、内側の主燃料層１１と、外側の第１アブレータ層１２とを有する。主燃料層１１は、ＤＴ燃料層（核融合燃料層）であり、中心部Ｃからみて所定の領域（第１領域、図１においては下方及び側方の領域）を囲むように設けられている。また、この主燃料層１１は、図１に示すように、所定の半径（第１の径）Ｒ１を有する球面形状に設けられている。第１アブレータ層１２は、レーザ光の照射時に主燃料層１１を中心部Ｃへと圧縮するために用いられるものであり、主燃料層１１の外周上に設けられている。
【００２１】
点火用燃料部２０は、内側の点火用燃料層２１と、外側の第２アブレータ層２２とを有する。点火用燃料層２１は、好ましくは主燃料層１１よりも薄く形成されたＤＴ燃料層であり、中心部Ｃからみて主燃料層１１の第１領域を除く領域（第２領域、図１においては上方の領域）を囲むように設けられている。また、この点火用燃料層２１は、図１に示すように、第１の径Ｒ１よりも大きい所定の半径（第２の径）Ｒ２の球面形状に設けられている。第２アブレータ層２２は、レーザ光の照射時に点火用燃料層２１を中心部Ｃへと加速するために用いられるものであり、点火用燃料層２１の外周上に設けられている。
【００２２】
これらの主燃料部１０及び点火用燃料部２０において、ＤＴ燃料層１１、２１は、それぞれ氷の状態での重水素（Ｄ）及び三重水素（Ｔ）の混合燃料層のシェルであり、その外周上にレーザアブレーションのためのアブレータ層１２、２２が被膜された構造となっている。アブレータ層１２、２２としては、好ましくはポリスチレンなどのプラスチックシェルが用いられる。
【００２３】
主燃料部１０と点火用燃料部２０とは、コーン部材３０によって互いに隔てられて配置されている。コーン部材３０は、レーザ光の照射時に点火用燃料層２１をターゲット１の中心部Ｃへと誘導するための誘導部材である。また、このコーン部材３０は、中心部Ｃに向かって開放された開口部３１を有するとともに、開口部３１から点火用燃料部２０への開き角度を所定の開き角度θとして中空円錐状に形成されている。点火用燃料部２０は、このコーン部材３０の内部に収容され、レーザ光の照射時に加速された点火用燃料層２１が開口部３１を経て中心部Ｃへと誘導されるようになっている。
【００２４】
コーン部材３０は、主燃料層１１の圧縮及び点火用燃料層２１の加速等による衝撃に対して充分な強度を有することが好ましく、その材質としては、金やアルミニウム等の比較的重い金属（中〜重金属）を用いることが好ましい。また、燃料部１０、２０によって囲まれたターゲット１の内部空間にはＤＴガスが存在しているが、コーン部材３０に開口部３１が設けられているため、主燃料部１０側の空間と点火用燃料部２０側の空間とでＤＴガスの圧力は等圧に保たれている。
【００２５】
次に、上記構成の核融合ターゲット１を用いた本発明による核融合点火方法について説明する。図２は、図１に示した核融合ターゲットを用いた核融合点火方法について示す図である。ここで、図２（ａ）は、燃料部にレーザ光を照射することによる燃料層の圧縮、加速について示す模式図であり、図２（ｂ）は、主燃料層及び点火用燃料層の半径の時間変化を示すグラフである。
【００２６】
図２（ａ）においては、レーザ光の照射前の燃料層１１、２１等を破線で示し、レーザ光の照射後で中心部Ｃへと圧縮、加速された燃料１１ａ、２１ａを実線で示している。一方、図２（ｂ）においては、グラフＡ１は主燃料層１１（主燃料１１ａ）の半径の時間変化を示し、グラフＢ１は点火用燃料層２１（点火用燃料２１ａ）の半径の時間変化を示している。また、図２（ｂ）における破線のグラフＡ２、Ｂ２は、ターゲット１の内部空間に存在するＤＴガスにおいて発生する衝撃波の進行について示している。
【００２７】
図１の核融合ターゲット１を用いた核融合点火方法においては、主燃料部１０及び点火用燃料部２０のそれぞれに対してレーザ光を照射する。そして、それによるロケット反作用を利用したアブレーティブ加速方式で主燃料層１１及び点火用燃料層２１のＤＴ燃料を中心部Ｃへ向けて圧縮、加速させることによって、中心部Ｃを点火部として核融合反応を点火する。燃料部１０、２０に対して照射されるレーザ光としては、好ましくはｎｓｅｃ（ナノ秒）オーダのパルスレーザ光が用いられる。
【００２８】
具体的には、主燃料部１０に対して圧縮用のレーザ光（圧縮用のエネルギー線）１５が照射されると、第１アブレータ層１２が加熱されて外側へと急激に膨張する。このとき、第１アブレータ層１２の膨張の反作用で、主燃料層１１のＤＴ燃料がターゲット１の内側へ向けて圧縮され、中心部Ｃにおいて圧縮された主燃料１１ａとなる（圧縮ステップ）。
【００２９】
一方、点火用燃料部２０に対して加速用のレーザ光（加速用のエネルギー線）２５が照射されると、同様に、第２アブレータ層２２の膨張の反作用で、点火用燃料層２１のＤＴ燃料がコーン部材３０によって中心部Ｃへと誘導されつつ加速される（加速ステップ）。特に、図１及び図２（ａ）に示した構成では、点火用燃料層２１が、主燃料層１１よりも薄く、かつ大きい径（Ｒ２＞Ｒ１）で形成されている。このため、図２（ｂ）のグラフＢ１に示すように、点火用燃料層２１は主燃料層１１の圧縮される速度よりも早い速度で加速される。
【００３０】
高速に加速された点火用燃料層２１は、コーン部材３０の開口部３１を経て点火用燃料による点火スポット２１ａとなって、中心部Ｃへと圧縮された主燃料１１ａに衝突する。これにより、加速された点火用ＤＴ燃料の運動エネルギーが例えば数１０ｐｓｅｃ（ピコ秒）程度の極めて短時間の間に熱エネルギーに直接変換され、中心部Ｃにおいて核融合反応が点火される（点火ステップ）。
【００３１】
上記実施形態による核融合ターゲット及び核融合点火方法の効果について説明する。
【００３２】
図１及び図２に示した核融合ターゲット１及びそれを用いた核融合点火方法では、ＤＴ燃料からなる主燃料層１１に対し、同じくＤＴ燃料からなる点火用燃料層２１を別に設けている。そして、開口部３１を設けたコーン部材３０を用い、ターゲット１の中心部Ｃに主燃料層１１が圧縮されて生成される主燃料１１ａに対して、点火用燃料層２１が高速に加速された点火スポット２１ａを衝突させることによって核融合反応を点火させている。この点火方式は、従来の高速点火方式などとは全く異なり、主燃料に衝突していく点火用燃料自体を高温プラズマに転じせしめようというものである。このようなターゲット構造及び点火方法によれば、核融合反応を高効率で確実に点火することが可能となる。
【００３３】
ここで、図３は、従来の（ａ）中心点火方式、及び（ｂ）高速点火方式による核融合点火方法について示す図である。
【００３４】
中心点火方式では、図３（ａ）に示すように、ＤＴ燃料層６１及びアブレータ層６２から構成された球状ターゲット６が用いられる。このターゲット６に対してレーザ光６５を照射することによって、球状の燃料層６１を球対称に圧縮する。そして、その最終段階で中心部にできた比較的低密度の高温プラズマを周囲の低温高密度のプラズマが圧縮することによって、中心部において点火用のホットスポットを生成する。
【００３５】
この点火方式を実現するためには、固体密度の３０００〜４０００倍程度の高い圧縮密度が必要とされ、結果として、高い爆縮一様性とレーザ光の照射一様性が要求されることとなる。また、核融合反応の点火に必要なレーザ光エネルギーは少なくとも１．２ＭＪ、高いエネルギー利得を得るためには５〜１０ＭＪが必要である。また、核融合反応が点火されるだけの充分な温度と厚みを持ったホットスポットが生成されなければならず、爆縮の一様性が悪ければ点火さえ実現できない。
【００３６】
一方、高速点火方式では、図３（ｂ）に示すように、ＤＴ燃料層７１、アブレータ層７２、及びコーン８０から構成されたターゲット７が用いられる。このターゲット７は、コーン８０に開口部が設けられておらず、また、コーン８０の内部が単に中空になっている点で、図１に示したターゲット１とは異なる構成となっている。
【００３７】
この点火方式は、ペタワットレーザと呼ばれる超高強度の短パルスレーザを用い、爆縮の一様性がある程度悪くても外部から強制的に急加熱して点火部を生成するものである。ペタワットレーザは、従来の核融合実験に用いられてきたレーザに比べ、パルス幅が１／１００〜１／１０００となる１〜１０ｐｓｅｃ程度、ピークパワーが１００倍近い１ＰＷ程度のレーザ光を出力するレーザ光源である。
【００３８】
この方式では、ターゲット７の燃料部に対してレーザ光７５を照射することによって、燃料層７１を中心部へと圧縮する。さらに、コーン８０側からペタワットレーザ光８５を照射し、コーン８０の先端部において高エネルギー電子を生成する。この高エネルギー電子がコーン８０の金の薄膜を透過、輸送され、最終的に高密度に圧縮された燃料を加熱することによって、ホットスポットが生成される。しかしながら、この高エネルギー電子の輸送による点火方式には、依然として解明されていない物理が多く、必要なエネルギーを含めて充分に理解されていない。
【００３９】
これに対して、図１及び図２に示した核融合ターゲット及び核融合点火方法では、中心部Ｃに圧縮された主燃料層１１に対して点火用燃料層２１を衝突させ、その運動エネルギーを熱エネルギーに直接変換することにより、加速された点火用燃料層２１自体を点火用のホットスポットとして利用するものである。このような点火方式では、核融合反応の点火の物理現象を流体力学的要素のみで記述することが可能である。また、このような流体力学的知識に関しては、現在までに積み重ねられた実験、理論、シミュレーションによって充分なデータベースが構築されている。したがって、エネルギー結合効率の評価、核融合ターゲットの具体的な構造の設計、高効率が得られるエネルギー線の照射条件の設定などが高速点火方式などに比べて容易かつ精度良く行うことが可能である。例えば、レーザ光の吸収から最終的なプラズマの熱エネルギーへのエネルギー結合効率は、１０％程度の効率が充分に期待される。
【００４０】
また、従来の高速点火方式では、燃料がほぼ均等に一定の圧縮密度を持ち、その一部を１〜１０ｐｓｅｃという極めて短時間のうちに急加熱するものであるが、ペタワットレーザ光のエネルギーをある程度の範囲内に抑える必要から、燃料はある程度高密度に圧縮される必要がある。これに対して、上記したターゲット構造及び点火方法では、圧縮された主燃料部と点火用のホットスポット部とは、主燃料層１１と点火用燃料層２１とによって分離して圧縮、生成される。このため、燃料の高密度圧縮の要請、換言すれば爆縮の一様性に対する要請が緩和されることとなる。これは、レーザ核融合の実現に向けて極めて有効である。また、極めて高価なペタワットレーザ光源を用いる必要がないことから、装置全体を低コスト化することができ、開発研究費も抑えることが可能などの利点もある。
【００４１】
なお、図１に示した核融合ターゲット１においては、主燃料層１１と点火用燃料層２１とを、それぞれ半径Ｒ１、Ｒ２の球面形状（球面形状の一部分）に設けている。これにより、燃料層１１、２１の中心部Ｃへの圧縮、加速を充分な一様性で好適に実現することができる。
【００４２】
また、点火用燃料層２１は、主燃料層１１よりも中心部Ｃからの距離が大きい位置に配置されていることが好ましく、上記のように球面形状の場合には、その径がＲ２＞Ｒ１に設定されていることが好ましい。また、点火用燃料層２１の厚さについては、主燃料層１１よりも薄く設定することが好ましい。これらの点火用燃料層２１の構成条件は、点火用のホットスポット部を形成するための点火用燃料層２１を中心部Ｃへと高速に加速する上で有効である。
【００４３】
また、ターゲット１を用いた核融合点火方法においては、図２（ｂ）に半径の時間変化のグラフＡ１、Ｂ１によって示すように、点火用燃料層２１の衝突速度が主燃料層１１の圧縮速度よりも速くなるように点火用燃料層２１の加速を行うことが好ましい。これにより、点火用燃料層２１の運動エネルギーを熱エネルギーに変換することによる核融合反応の点火を好適に実現することができる。点火に必要な典型的な速度としては、例えば、主燃料層１１の圧縮速度（爆縮速度）が３×１０７ｃｍ／ｓｅｃ程度、点火用燃料層２１の衝突速度が主燃料層１１の約３倍速く１×１０８ｃｍ／ｓｅｃ程度である。
【００４４】
また、上記した核融合点火方法では、このような燃料層１１、２１の速度の設定に加えて、燃料層１１、２１の圧縮、加速、及び中心部Ｃにおける衝突のタイミングを精度良く合わせることが重要である。これらの点火条件は、ターゲット１における燃料層１１、２１の中心部Ｃからみた配置、厚さ、及び燃料部１０、２０に照射される圧縮用、加速用のレーザ光１５、２５の照射条件等によって調整することができる。レーザ光１５、２５の照射条件については、燃料層１１、２１の衝突による核融合反応の点火が効率良く実現されるように、その照射タイミングやパルス波形等を個々に最適化することが好ましい。
【００４５】
また、図１に示したコーン部材３０のような点火用燃料層２１を中心部Ｃへと誘導するための誘導部材の開き角度θについては、燃料部１０、２０の具体的な構成やレーザ光の照射条件などを考慮して適宜設定すれば良いが、一般には、その開き角度θを９０°以上１８０°以下とすることが好ましい。これにより、点火用燃料層２１の誘導及び主燃料層１１への衝突を好適に実現することができる。なお、コーン部材３０の厚さは例えば１０μｍ程度、その開口部３１は例えば半径１００〜１５０μｍ程度である。
【００４６】
燃料部１０、２０に照射されるエネルギー線については、上記実施形態においてはレーザ光としたが、一般には例えばレーザ光、Ｘ線、荷電粒子線などを用いることができる。また、ターゲット１に対するエネルギー線の照射方法については、直接照射法及び間接照射法のいずれを用いても良い。
【００４７】
図４は、ターゲットに対するエネルギー線の照射方法について模式的に示す図であり、図４（ａ）は直接照射法を、図４（ｂ）は間接照射法を示している。図４（ａ）に示す照射法では、主燃料部１０、点火用燃料部２０に対し、エネルギー線であるレーザ光１５、２５を直接照射している。
【００４８】
一方、図４（ｂ）では、点火用燃料部２０に対しレーザ光２５を直接照射している点では図４（ａ）と同様であるが、主燃料部１０に対しては、ターゲット１の外側に取り付けられた外殻部４０にレーザ光１６を照射し、それによって発生したＸ線１７をエネルギー線として主燃料部１０に照射する間接照射法を用いている。ただし、点火用燃料部２０に対して照射する加速用のエネルギー線については、図４（ａ）及び（ｂ）に示すレーザ光２５のようにレーザ光を用いることが好ましい。これにより、中心部Ｃに誘導されて点火用のホットスポット部となる点火用燃料層２１を充分な速度で加速することができる。
【００４９】
ここで、図１に示した核融合ターゲット１の具体的な構成例を挙げておく。核融合燃料層としては、初期密度が０．２ｇ／ｃｍ３のＤＴ燃料を用い、また、アブレータ層としては、初期密度が１．０ｇ／ｃｍ３のプラスチックを用いる。主燃料部１０については、燃料層１１を質量０．７６ｍｇ、内半径１．５ｍｍ、厚さ０．２ｍｍ、アブレータ層１２を質量１．５６ｍｇ、内半径１．７ｍｍ、厚さ０．０７ｍｍとする。点火用燃料部２０については、燃料層２１を質量０．２８ｍｇ、内半径２．０ｍｍ、厚さ０．０６５ｍｍ、アブレータ層２２を質量１．１ｍｇ、内半径２．０６５ｍｍ、厚さ０．０５ｍｍとする。
【００５０】
また、主燃料部１０に対して照射する圧縮用のレーザ光を波長０．３５μｍ、パルス幅１．４ｎｓｅｃ、照射強度５×１０１４Ｗ／ｃｍ２、エネルギー１５０ｋＪとする。また、点火用燃料部２０に対して照射する加速用のレーザ光を波長０．３５μｍ、パルス幅１ｎｓｅｃ、照射強度７×１０１４Ｗ／ｃｍ２、エネルギー１５０ｋＪとする。また、コーン部材３０の開き角度θを１６０°とする。これらの条件において、各物理量に対する期待値は、主燃料層１１の圧縮密度が約２００ｇ／ｃｍ３、点火用燃料層２１の圧縮密度が約１００ｇ／ｃｍ３、エネルギー利得が約１００である。
【００５１】
図５は、図１に示した核融合ターゲットを用いた核融合によるエネルギー利得を示すグラフである。ここでは、主燃料層１１の圧縮密度ρｃ、及び点火用燃料層２１の圧縮密度ρｉの値を変えて、９つのグラフＣ１〜Ｃ３、Ｄ１〜Ｄ３、Ｅ１〜Ｅ３を示している。また、このグラフにおいて、横軸は主燃料部１０及び点火用燃料部２０に照射されるレーザ光の合計のドライバエネルギー（ｋＪ）を示し、縦軸は核融合で得られるエネルギー利得を示している。
【００５２】
具体的には、主燃料層１１の圧縮密度ρｃについては、グラフＣ１、Ｄ１、Ｅ１はρｃ＝１００ｇ／ｃｍ３、グラフＣ２、Ｄ２、Ｅ２はρｃ＝２００ｇ／ｃｍ３、グラフＣ３、Ｄ３、Ｅ３はρｃ＝３００ｇ／ｃｍ３でのエネルギー利得を示している。また、点火用燃料層２１の圧縮密度ρｉについては、グラフＣ１〜Ｃ３はρｉ＝１００ｇ／ｃｍ３、グラフＤ１〜Ｄ３はρｉ＝２００ｇ／ｃｍ３、グラフＥ１〜Ｅ３はρｉ＝３００ｇ／ｃｍ３でのエネルギー利得を示している。また、ここでは、主燃料層１１の圧縮状態を示すパラメータαｃを３、主燃料層１１でのエネルギー結合効率をηｃ＝０．１、点火用燃料層２１でのエネルギー結合効率をηｉ＝０．１としている。
【００５３】
これらのグラフに示すように、上記したターゲット構造及び点火方法によれば、従来の中心点火方式、高速点火方式のいずれと比べても、低いドライバエネルギーで高いエネルギー利得が得られることがわかる。例えば、上記したターゲット構造及び点火方法では、核融合反応の点火には５０〜１００ｋＪ、高利得を得るためには１００〜２００ｋＪ程度のエネルギーが必要と見積もられる。これは、中心点火方式と比べると１桁以上低いエネルギーである。
【００５４】
なお、図５において、グラフＣ１〜Ｃ３、Ｄ１〜Ｄ３、Ｅ１〜Ｅ３のそれぞれを比較すると、点火用燃料層２１の圧縮密度ρｉについては、ρｉが高いときにエネルギー利得が大きくなっている。また、主燃料層１１の圧縮密度ρｃについては、ρｃが低いときの方がややエネルギー利得が大きくなっている。
【００５５】
本発明による核融合ターゲット及び核融合点火方法は、上記した実施形態及び構成例にう限られるものではなく、様々な変形が可能である。例えば、上記した構成では、点火用燃料層は主燃料層の第１領域を除く第２領域を囲むように設けられているが、一般には、この点火用燃料層は、第２領域に対して所定領域に設けられていれば良い。また、主燃料層及び点火用燃料層に用いられる核融合燃料としては、利用しようとする核融合反応に応じてＤＴ燃料以外の燃料を用いても良い。
【産業上の利用可能性】
【００５６】
本発明は、燃料での核融合反応を効率良く点火することが可能な核融合ターゲット、及び核融合点火方法として利用可能である。
【図面の簡単な説明】
【００５７】
【図１】核融合ターゲットの一実施形態の構成を示す断面図である。
【図２】図１に示した核融合ターゲットを用いた核融合点火方法について示す図である。
【図３】従来の（ａ）中心点火方式、及び（ｂ）高速点火方式による核融合点火方法について示す図である。
【図４】ターゲットに対するエネルギー線の照射方法について示す図である。
【図５】図１に示した核融合ターゲットを用いた核融合によるエネルギー利得を示すグラフである。
【符号の説明】
【００５８】
１…核融合ターゲット、１０…主燃料部、１１…主燃料層、１２…第１アブレータ層、１５…圧縮用のレーザ光、２０…点火用燃料部、２１…点火用燃料層、２２…第２アブレータ層、２５…加速用のレーザ光、３０…コーン部材（誘導部材）、３１…開口部、４０…外殻部、Ａｘ…中心軸、Ｃ…中心部。
【図１】
2005241462.tif 000003
【図２】
2005241462.tif 000004
【図３】
2005241462.tif 000005
【図４】
2005241462.tif 000006
【図５】
2005241462.tif 000007